(57)【要約】      （修正有）【課題】吹き矢競技用の的に一体で吹き矢の衝突を十分回避できる離れた位置に吹き回数表示機能付き自動点数加算及び減算表示装置を設け、競技を間違いなく、安全に進めることができる吹き矢競技用点数表示装置を提供する。【解決手段】吹き矢の刺さり易いウレタンフォームからなる的に１点、３点、５点、７点、１０点の各領域ごとにセンサースイッチを複数個設置し、吹き矢の当たり信号をディジタル処理して、自動点数加算及び減算結果を７セグＬＥＤ３桁表示に１０ｍ離れても見える大きさで表示すると同時に、複数の装飾ＬＥＤで点数に合わせた表示を行う。また吹き矢の筒に矢が通過した事を感知するセンサーを設け、その信号を無線・リモコンで本体装置に自動送信して、吹き回数も順次、７セグＬＥＤ３桁に表示する。競技終了後は小さく分解収納する。【選択図】図１
0003218191.tif 000002
【実用新案登録請求の範囲】
【請求項１】
吹き矢の的の１点、３点、５点、７点の領域同心発泡体に複数個設置され刺さった場所別に導通信号を取り出すためのセンサースイッチは０．１Ｎ程度の弱い力で接点をＯＮ／ＯＦＦ出来るコイルバネで構成されており、該コイルバネを通して電気信号を取り出す事を特徴とする吹き矢競技用点数表示装置。
【請求項２】
吹き矢の的１０点領域および的７点領域のセンサースイッチ２要素を光学式センサーまたは可動型機械式センサースイッチで同一取り付け上下面に設置する場合、該センサースイッチ信号の認識の順序を１０点領域センサーを最初とする事を特徴とする請求項１に記載の吹き矢競技用点数表示装置。
【請求項３】
吹き矢の的の各点数境界溝に吹き矢が刺さった場合は各領域同心発泡体（ウレタンフォーム）の内側に設けた踊り場段差に刺さり、良い点数に加算される事を特徴とする請求項１又は請求項２に記載の吹き矢競技用点数表示装置。
【請求項４】
吹き矢の円錐形部材質において金属蒸着フィルムを使って作成した物による導電体の静電気を利用して、吹き矢筒の穴と同軸同径で吹き矢の通過に何ら影響のない円筒金属により作成した静電容量タッチセンサー又は光学式センサーを用いて、同矢の通過信号を感知して競技者の吹き矢吹き回数をカウントし、結果を別途表示装置に有線又はリモコン又は無線通信により送信する事を特徴とする請求項１又は請求項２又は請求項３に記載の吹き矢競技用点数表示装置。
【請求項５】
点数及び吹き回数の７セグＬＥＤ１〜３桁表示は的一体または的遠方分離して常時又は断続的一定時間表示のどちらも行う事を特徴とする請求項１又は請求項２又は請求項３又は請求項４に記載の吹き矢競技用点数表示装置。
【請求項６】
競技者が吹き矢の的に近づき矢を抜く時に５領域同心発泡体のセンサースイッチを誤って動作させ点数が狂うのを防ぐため、吹き矢の的の近傍に人感センサーを設置して一定時間誤動作をさせない様にする、又は危険防止の警報アラームを鳴らす事を特徴とする請求項１又は請求項２又は請求項３又は請求項４又は請求項５に記載の吹き矢競技用点数表示装置。
【請求項７】
支柱は上下２種類の袋ナットにより分解、また表示用ＬＥＤフラッシュ及び吹き矢保護ガードは蝶番及び小型強力磁石（ネオジウム等）により偶数個に小さく折り畳んで収納運搬できる様にする事を特徴とする請求項１又は請求項２又は請求項３又は請求項４又は請求項５又は請求項６に記載の吹き矢競技用点数表示装置。
【考案の詳細な説明】
【技術分野】
【０００１】
本考案は、吹き矢競技用の的一体型電光表示及び音声発生を設けた吹き回数表示機能付き自動点数加算及び減算表示装置に関するものである。
【背景技術】
【０００２】
スポーツとして健康に良いとされる吹き矢は、競技用としても盛んに行われており、ルールも確立されている。一般的な競技方式は、直径２３ＣＭ以内に配置された内側から５領域「１０点・７点・５点・３点・１点」の同心発泡体や吹き矢が刺さることが可能複数構造体に、先端に小さな釘頭付き円錐型プラスチックフィルムの吹き矢（後述で吹き矢）が突き刺さる位置によって、命中精度を吹き回数５回を１ラウンドとして数ラウンドの合計点数で競うものです。この競技において点数集計判定及び試合進行を疑義無く、スムーズに行うことが要求されている。また、競技会会場は風などの影響を避けるため、体育館などの広い室内空間で行う場合がほとんどです。そのため、終了後は速やかに撤去する必要が有り、軽量で小型に分解可能な物が要求される。
【０００３】
吹き矢が刺さった位置及び合計点数は、矢を吹いたもの以外の審判などの第三者が判定しないと疑義が生じます。特に、吹き矢が点数と点数の境目に刺さった場合、競技者同士で判定に問題が発生いたします。
【０００４】
また、競技者が吹き矢を放っても、的に全く当たらず大きく逸れてしまう事も有り、この場合は０点ですが吹き回数の１回に数えられます。しかし、競技者は感違いして、もう１回吹き矢を放って５回より多く点数を加算することが有ります。
【０００５】
また、吹き矢が的に当たって点数が加算されても吹き矢の刺さる威力が足りず、的から跳ね飛ばされる場合も有ります。この場合は、「跳ねや矢」と言って、点数加算はキャンセルとなり、１回分の点数の減算になります。
【先行技術文献】
【特許文献】
【０００６】
【特許文献１】特開２００６−２５５３８０号公報
【非特許文献】
【０００７】
【非特許文献１】稲葉正太郎著  「自動制御入門」丸善株式会社  １９６７年
【考案の概要】
【考案が解決しようとする課題】
【０００８】
容易に吹き矢が刺さる事が可能で、その刺さりを保持できる同心発泡体（主にウレタンフォーム）の５領域任意位置に吹き矢が刺さっても、その位置に応じた信号を発信できるセンサーまたはスイッチを１０点から１点までの５領域の各同心発泡体（主にウレタンフォーム）に複数設ける事により前述の欠点を解決しようとするものです。
さらに、上記のセンサーまたはスイッチの内、特に１０点領域は直径１０ＭＭと狭い領域で当たりの感知と吹き矢の刺さりの保持を兼ね備える同心発泡体以外の物により欠点を解決しようとするものです。
【０００９】
競技者が吹き矢を吹き放った回数は競技者自身の記憶に頼るしかないが、競技者が高齢者の場合忘れてしまう事が良く有り、的一体型電光表示及び音声にて知らせる事により欠点を解決しようとするものである。
【００１０】
装置本体の７セグ電光表示は吹き矢先端に小さな釘頭の衝突破壊を免れるため、矢が飛んでくる事が予想される範囲より十分外側で、１０メーター離れても良く見える大きさで、また装置本体の裏側設置物への衝突破壊を免れるために広範囲の保護ガードを設けて競技に使用し、競技終了後は蝶番で４つに小さく畳んで収納する事により欠点を解決しようとするものである。
【００１１】
７セグ電光表示は競技が３ラウンド以上の場合を考えて、３桁が必要最小限（９９９点まで表示）で、吹き矢が点数と点数の境目に刺さった場合、内側の領域の良い点数に当たった様に判定する事により欠点を解決しようとするものである。
【００１２】
競技途中の「跳ねや矢」の点数修正処理は、危険防止のため、競技者または審判が装置本体の的に近つかない様に装置本体から離れて無線又はリモコンで遠隔操作を行い、装置本体に付いている点数０リセットは、トグルスイッチ又はプッシュスイッチは本体を載せてある三脚等が倒れるため、タッチスイッチにする事により欠点を解決しようとするものである。
【００１３】
吹き矢の競技会で装置本体を複数台使用する場合、混信を防ぐため装置本体と無線又はリモコン送受信機信号は１対１対応にする事により欠点を解決しようとするものである。
【００１４】
競技１ラウンド終了後、競技者が的の５領域の各同心発泡体（主にウレタンフォーム）に刺さった吹き矢を抜く時に、再度、上記のセンサーまたはスイッチが反応して集計点数が変化する事を防ぐため、人感センサーで反応を無感知又はキャンセルにする事により欠点を解決しようとするものである。  
【課題を解決するための手段】
【００１５】
本考案は、センサーまたはスイッチを１０点から１点までの５領域を備えた同心発泡体（主にウレタンフォーム）と一体に３桁以上の７セグメントＬＥＤで省エネ表示を行い点数に応じた音楽及びＬＥＤフラッシュが発せられ、さらに吹き回数表示機能を付属して競技点数を自動加算及び跳ね矢時には減算表示を行っている。また、競技者が吹き矢の吹き回数を自動で数えるため、吹き矢の筒に吹き出し口または投入口に吹き矢の通過を感知するセンサーまたはスイッチを取り付けて、その通過信号を有線または無線リモコンにより装置本体に送信して計数表示します。また、吹き矢の競技会での装置を複数台使用する時の送受信機通過信号は、吹き矢センサーと装置本体はペアにする事により問題点を解決している。さらに、刺さった吹き矢を的から抜く時の誤動作は別途に人感センサーを付けて、人が接近した時に５領域を備えた同心発泡体のセンサー及びスイッチを無効にする。さらに７セグＬＥＤ３桁表示の点数表示の修正（跳ね矢及び０リセット）は無線又はリモコンにより遠隔操作し、装置本体で０リセットする時はタッチスイッチを付けることにより不安定な三脚などのスタンドの転倒を防止している。また、別途パソコンソフトでＵＳＢシリアル通信を行える様にし、競技終了後は小型に縮小分解して持ち運び可能とし、１０点から１点までの５領域を備えた同心発泡体（主にウレタンフォーム）等は消耗品として、経済的部分交換可能にする事により問題を解決している。
【考案の効果】
【００１６】
上述の様に、本考案は、老若男女の区別なく、分かりやすく、楽しく、競技を進行して点数の集計を手軽に正確に行う事が出来る。また競技者自身が点数と吹き回数を７セグＬＥＤ３桁表示とＬＥＤフラッシュにより確認できる。別途パソコンソフトでＵＳＢシリアル通信を行う事により表集計も可能となる。その際、吹き損じも吹き回数のカウントの対象とし、跳ね矢のカウントも遠隔操作で当たり外れた点数を減算できる。
競技使用時は４分割保護ガード、ＬＥＤフラッシュ、装置本体を大きく広げ使用し、競技終了後は、図７の様に縮小分解することが可能で、持ち運び容易になる。また、７点から１点までの４領域を備えた同心発泡体（主にウレタンフォーム）等は消耗品として、部分交換可能で経済的です。
【図面の簡単な説明】
【００１７】
【図１】（ａ）は吹き矢競技用点数表示装置の正面図、（ｂ）は吹き矢筒を持った競技者。
【図２】（ａ）は上記装置の右側面図、（ｂ）は裏面図、（ｃ）はＡ−Ａ断面図。
【図３】（ａ）は吹き矢筒先端部センサー及びリモコン発信機詳細図、（ｂ）は導電性吹き矢。
【図４】Ａ−Ａ  断面拡大詳細図。
【図５】（ａ）はＡ−Ａ  断面の直角長手方向断面拡大詳細図、（ｂ）は（ａ）の更なる拡大詳細図。
【図６】赤外線リモコン。
【図７】吹き矢競技用点数表示装置、図１を運搬時に縮小分解した写真です。
【考案を実施するための形態】
【００１８】
一般的に１−１：的中心までの高さは１６００ｍｍになっており、図１は三脚を短く収納した状態から長く伸ばし、１−１０１：支柱と一体になった１−１２：袋ナットと的、また１−１０３：袋ナットと三脚を締結して１６００ｍｍに合わせて使用します。当初、テスト用の２−２０１：センサーキャップを外し、図１（ａ）と図１（ｂ）の様に正面向かい合わせて、競技で決められた距離分離れて、吹き矢を吹いて１ラウンド５回の当たった合計点数で競技する。その際、１−１３：吹き矢筒先端部センサー及びリモコン発信機を使い５回の吹き回数をカウントするため、競技者は自分の合計点数及び吹き回数を見ながら競技を続行できる。
【実施例】
【００１９】
以下、添付図面に従って実施例を説明いたします。１−２：４分割保護ガード（蝶番付き）は１−４：ネオジウム磁石、１−５：鉄板ハート  ネオジウム磁石、で構成され、５か所の内塗りつぶし４か所は位置決めの為ＮＳペアで使用していますが、展開して保護ガードを組み立てます。その後、１−３：ＬＥＤフラッシュを取り付ける（ＬＥＤ配線接点がネオジウム磁石になっていてワンタッチ着脱が可能です）１−６：７セグＬＥＤ３桁表示は３−８：通信ケーブルコネクターを差し込み、１−７：スイッチング電源を入れて、３−５：ボリューム（外部スピーカー音量調節用）を調整した後、タコ糸などの紐で装置本体に括り付けてあるテスト用２−２０１：人感センサーキャップを外せば装置本体の準備完了、すぐ競技開始出来ます。その際、競技者又は審判など第三者は図６遠隔操作リモコンの準備携帯も忘れないよう準備します。競技者は１−１３：吹き矢通過センサー及び発信機を吹き矢筒に取り付け図１の様に３−１導電性吹き矢を筒に込めて吹くことにより自動回数カウント開始に成ります。なお導電性吹き矢は吹き矢円錐形部の材質は金属蒸着フィルムを使って作成した物、また先端には小さな頭のレール釘様の物が付いているもので静電容量タッチセンサーに反応させるための物です。なお３−６：マイクロスイッチ（最小型）は吹き矢筒に図３（ａ）吹き矢筒先端部及びリモコン発信機を挿入し取り付けた時にマイクロスイッチがＯＮに成り、外せばＯＦＦに成りボタン電池の消耗を防ぎます。また３−３：導電体リング（内径１３ＭＭ）は５−１：導電性吹き矢の通過に物理的外力が加わることがないのは光学式フォトインタラプターやフォトリフレクターと同様です。そして競技者が１−１：的中心（１０点）に向けて吹き矢を吹けば３−２：赤外線ＬＥＤは決められた信号を見えませんが発信し、また通過した事を３−８：可視光ＬＥＤで確認できます。また電源の３−５：ボタン電池（３Ｖ用２個）及び３−６：マイクロスイッチ（最小型）及び３−７：マイコン（ＡＴＭＥＧＡ３２８：プログラム可能な不揮発性メモリー）は吹き矢筒の下側に配置して、的狙いに支障をきたすことは有りません。また１−１３：吹き矢通過センサー及び発信機のユニットは吹き矢筒と着脱可能です。
【００２０】
競技者が吹いた矢が跳ね矢に成った場合、図６の赤外線リモコン１０−１：１回キャンセルを押して、１回加算された１−６の７セグＬＥＤ表示を元の状態に戻す。また１ラウンド５回終了時は１０−２：０リセットを押して表示を０００点に戻すためのもので、装置本体の１−１４：７セグＬＥＤ３桁表示の０リセットタッチセンサーまで近づかなくても良いので危険防止に成ります。なお赤外線リモコンは無線通信でも可とする。また、図４の様に４−３：硬質発泡体の上下面に一体で４−１：フォトインタラプターと４−５：センサースイッチユニットの両方が搭載されています。その為、１０点の４−１：フォトインタラプターに吹き矢が当たったものが４−５：センサースイッチユニットに当たったものと区別がつかない事に成り、２−１２：ディジタル信号処理回路（入力信号処理）が間違って認識するのを防ぐため、４−１：フォトインタラプターを最初に認識する様に順序を設けています。また、４−６：詰め物は１点・３点・５点の３種類の領域同心発泡体のサービス交換時に着脱して使用しますが、詰めようとする領域同心発泡体と同一材質及び同色とする。また、ドーナッツ型の１点・３点・５点７点の４種類の領域同心発泡体の取り付け時に、中芯出しは５−３：ネジにて行います。７点の領域同心発泡体の取り付け固定は両面テープなどにより行います。
４−７：境界溝に４−８：吹き矢が刺さった時は４−９：踊り場段差（領域同心発泡体の内側領域と一体に設ける）に刺さり、内側の良い点数に判定されて１−６：７セグＬＥＤ３桁表示に加算される。２−１４：センサースイッチユニットの通電経路は５−８：シート接点から５−６：板バネ接点へ５−１：コイルバネを通して５−９：スペーサーガイドへと成ります。つまり５−４：合板の同一板面から導通信号を取り出す事が出来ます。また５−１：コイルバネは３−１：導電性吹き矢が５−１０：５領域同心発泡体に当たり圧力で押された時は縮んで接点をＯＮさせその後、圧力が解放されると５−１０：５領域同心発泡体を元に押し戻し接点をＯＦＦさせます。該バネはコイル径が大きくバネ定数：０．１２Ｎ／ｍｍ程度と成り、センサースイッチは競技者の肺活量で生じる吹き矢の風圧力を位置の変位として取り込んで信号を取り出す機械式のセンサースイッチは、数ｍｍの変位でのＯＮ／ＯＦＦ動作が必要になります。復元力も弱く、的１０点の領域および的７点の領域に間隙を設け無接触にしなければなりません。しかし、本実施例はセンサースイッチに可動部分のない光学式フォトインタラプター又は光学式フォトリフレクターなど光学式センサーを使用することで解決しています。また的１０点の領域に吹き矢が稀に、ダブルまたはトリプルで当たった場合は吹き矢を抜く際に的に近づいて確認後、３点領域を指で押して点数加算します。図６の赤外線リモコンの６−１：１回キャンセルボタンは跳ね矢が有った場合１回加算された１−６の７セグＬＥＤ表示を元の状態に戻すリモコンで、６−２：０リセットボタンは装置本体の１−１４まで近づかなくても７セグＬＥＤ表示を０００表示に戻せます。
【符号の説明】
【００２１】
１−１  的中心（１０点）
１−２  ４分割保護ガード（蝶番付き）
１−３  ＬＥＤフラッシュ
１−４  ネオジウム磁石
１−５  鉄板ハート
１−６  ７セグＬＥＤ３桁表示
１−７  スイッチング電源
１−８  赤外線リモコン受信モジュール
１−９  スタンバイＬＥＤ
１−１０  三脚
１−１０１  支柱
１−１０２  袋ナット（的側）
１−１０３  袋ナット（三脚側）
１−１１  ＵＳＢ（シリアル通信用）
１−１２  通信ケーブル
１−１３  吹き矢通過センサー及び発信機
１−１４  ７セグＬＥＤ３桁表示の０リセットタッチセンサー
２−１  固定バンド
２−２  人感センサー
２−２０１  人感センサーキャップ
２−３  ４領域同心発泡体
２−４  取り付け板支柱（４か所）
２−５  フォトインタラプター入力処理回路（１０点用）
２−６  ＬＥＤフラッシュ取っ手（ＬＥＤフラッシュを取り外す時に使用）
２−７  スピーカー（外部スピーカー）
２−８  ボリューム（外部スピーカー音量調節用）
２−９  ＬＥＤフラッシュ出力処理回路
２−１０  面センサースイッチ２出力処理回路（左右２か所：７点、５点、３点、１点用）
２−１１  通信ケーブルコネクター
２−１２  ディジタル信号処理回路（入力信号処理）
２−１３  ディジタル信号処理回路（７セグ表示処理回路）
２−１４  センサースイッチユニット（４−５及び図５（ａ）は同じ物）
３−１  導電性吹き矢
３−２  赤外線ＬＥＤ
３−３  導電体リング（内径１３ＭＭ）
３−４  導電体リングリード線
３−５  電池（ＣＲ２：３Ｖ用２個）
３−６  マイクロスイッチ（最小型）
３−７  マイコン（ＡＴＭＥＧＡ３２８）：プログラム可能な不揮発性メモリー
３−８  可視光ＬＥＤ
４−１  フォトインタラプター（テーパ長孔付き）
４−１０１  サラネジ（フォトインタラプター固定用：３か所）
４−２  フォトインタラプターリード線
４−３  硬質発泡体
４−４  領域同心発泡体（７点）
４−５  センサースイッチユニット
４−６  詰め物
４−７  境界溝
４−８  導電性吹き矢（３−１と同じ物）
４−９  踊り場段差
５−１  コイルバネ
５−２  スペーサー
５−３  ネジ（Ｍ３）
５−４  合板（厚さ６ＭＭ）
５−５  コイル内側ガイド
５−６  板バネ接点（材質：リン青銅板０．３Ｔ）
５−７  コイル内側ガイド（材質：硬質プラスチック）
５−８  シート接点（材質：リン青銅板０．２Ｔを５−４：合板に接着）
５−９  スペーサーガイド（材質：リン青銅板１Ｔ）
５−１０  領域同心発泡体（２−３と同じ）
５−１１  硬質発泡体
５−１２  タッピング（５−９スペーサーガイドの固定用）
５−１３  固定用ナット
６−１  １回キャンセルボタン
６−２  ０リセットボタン
６−３  赤外線ＬＥＤ（リモコン送信用）
６−４  キーホルダー穴
【図１】
0003218191.tif 000003
【図２】
0003218191.tif 000004
【図３】
0003218191.tif 000005
【図４】
0003218191.tif 000006
【図５】
0003218191.tif 000007
【図６】
0003218191.tif 000008
【図７】
0003218191.tif 000009